(57)【要約】      （修正有）【課題】喉に痰などが詰まり、自分で出すことが出来ない時などに使うソフト吸引器を提供する。【解決手段】ソフト吸引器のチュウブ部分１を丸める器との組み合わせからなる、ソフト吸引器であって、チュウブ部分は、内側に丸みのある角のないチュウブ開口部３をほどこされており、丸める器は、チュウブ開口部を丸める型５から構成され、丸みのある角のないチュウブ開口部にするために用いられる。【選択図】図１
0003232371.tif 000002
【実用新案登録請求の範囲】
【請求項１】
先端すべてを丸みをつける角をなくす
【請求項２】
１つを３ケ所にする事、やわらかく
３ケ所を１つにする事も出来る吸引器。
【考案の詳細な説明】
【考案の詳細な説明】
【技術分野】
【０００１】本考案は病院などで使われている吸引器に関するものである
【背景技術】
【０００２】病院などで使われている吸引器に付いているチューブ、くだの先端は、ナイフは、ハサミで切ったような、形で、角が出来、その、角がするどく喉をこすり、傷を付けていました。
【考案の概要】
【考案が解決しようとする課題】
【０００３】吸引器で使われているチューブは、するどく角が有り喉を傷付け、こすり、出血する事も有りました。
患者の方も、つらく、たえておられ痛がられる方も、おられます
【課題を解決するための手段】
【０００４】
0003232371.tif 000003
体内と同じくらいの、素材に、近ずける事により体に、今でより傷が入いらないように、する事が出来、可能になります。
【考案の効果】
【０００５】本考案の、ソフト吸引器は、今までの先端に
0003232371.tif 000004
がなく、丸い部分と体内に今までより近い素材を使い、吸引口をふやします。横斜、からも底からも今までの、先端だけでなく先端部分の横斜部分からも吸引する事を可能にしました。
【図面の簡単な説明】
【０００６】
【図１】ソフト吸引器正面図
【考案を実施するための形能】
【実施例】図１はソフト吸引器正面図です
【図１】
0003232371.tif 000005
【手続補正書】
【提出日】平成30年8月11日(2018.8.11)
【手続補正１】
【補正対象書類名】実用新案登録請求の範囲
【補正対象項目名】全文
【補正方法】変更
【補正の内容】
【実用新案登録請求の範囲】
【請求項１】
ソフト吸入器、先端チュウブ部分の吸引部分凹凸付ける事が出来内側外側角をなくし丸くし先端チュウブ部分と全体チュウブ部分を体の柔らかさ上下近くまで柔らかくする事が出来る事を特徴としたソフト吸引器。
【請求項２】
ソフト吸入器のモター部分とチュウブ部分は二つ合わせ付ける事が出来る（二つ以上もできます）事を特徴とした請求項１記載のソフト吸引器。
【手続補正２】
【補正対象書類名】明細書
【補正対象項目名】全文
【補正方法】変更
【補正の内容】
【考案の詳細な説明】
【技術分野】
【０００１】  本考案はべっどで寝て横にになることが多く風邪ぎみなときなど喉に痰などが詰まり自力で出すことが出来ない時などに使う吸入器に関するものである。
【背景技術】
【０００２】  ベッドで横になっていることが多く喉に痰などが詰まり自力で出すことが出来ず、吸入器のチュウブを鼻や喉からチュウブを入れ吸入してもらうとき、口や喉に吸引器のチュウブがあたり傷が入り出血する事もありました。
【考案の概要】
【考案が解決しようとする課題】
【０００３】  今までの吸入器で吸引する時チュウブの先端が喉や口にあたり喉や唇が擦り切れたり傷が入り出血する事がある時もある、と言う問題点と吸引をお願いしてもまだ残っている感じがありもう少し吸引して欲しい箇所が有という問題点が有りました。先端チュウブと全体チュウブ部分を柔らかさ体内近く上下の柔らかさにし出血を出来るだけ少なく出来るようにします。吸入器のチュウブで吸い上げるモーター部分とチュウブ部分を２つ付ける事が出来るようになります。（２つ以上付ける事も出来ます。）
【課題を解決するための手段】
【０００４】  出来るだけ今より傷を少なくし吸入器の吸入チュウブの先端と全体を体内上下の柔らかさにしチュウブ全体も柔らかく出来ます。外側内側に角のような部分をなくし全てにおいて丸みを付けます。吸引口の部分に丸みをつけ凹凸を付ける事も出来ます。吸引器モター部分とチュウブ部分を一つではなく二つずつ合わせ付ける事出来個数はます。個数は使いやすくする為にはいくつ付けても可能です。
【考案の効果】
【０００５】本考案のソフト吸引器のチュウブは体内に近く前後の柔らかさまで出来、吸引口の先端の丸みは内側外側に丸みをつける事が出来、凹凸を付ける事も出来ます。ソフト吸引器のモター部分とチュウブ部分は二つを合わせ使う事も出来ます（個数は使いやすく何個でも増やす事も可能です）。従来のものより出来るだけ出血を防ぐ事と吸引しやすくなります。
【図面の簡単な説明】
【０００６】
【図１】ソフト吸入器、正面図
【考案を実施するための形態】
【実施例】
【０００７】図１は、ソフト吸入器、正面から見た図です。
【符号の説明】
【０００８】１．チュウブ部分２．モター部分３．吸入口先端部分
【手続補正書】
【提出日】平成31年1月11日(2019.1.11)
【手続補正１】
【補正対象書類名】実用新案登録請求の範囲
【補正対象項目名】全文
【補正方法】変更
【補正の内容】
【実用新案登録請求の範囲】
【請求項１】
ソフト吸引器、先端チュウブ部分の吸引部分凹凸付ける事が出来内側の角をなくし、丸くし先端チュウブ部分と全体チュウブ部分を体内の皮膚の表面と弾力柔らかさ近くまで柔らかくする事が出来る事を特徴としたソフト吸引器。 
【請求項２】
吸引口を増やすとソフト吸入器の従来のモーター部分とチュウブ部分は二つ合わせ付ける事も出来る二つ合わせることが出来る事により吸引口の開口部が広がり個数が増え均等の吸引力を保つことが出来ない時によりモーターとチュウブをを増やし各吸引口の均等な吸引力を保つためにモーターとチュウブ部分を二つあわせる事が出来る吸引口の事を特徴とした請求項１記載のソフト吸引器。
【手続補正２】
【補正対象書類名】明細書
【補正対象項目名】全文
【補正方法】変更
【補正の内容】
【考案の詳細な説明】
【技術分野】
【０００１】  本考案はベッドで寝て横にになることが多く風邪ぎみなときなど喉に痰などが詰まり自力で出すことが出来ない時などに使う吸引器に関するものである。 
【背景技術】
【０００２】  ベッドで横になっていることが多く喉に痰などが詰まり自力で出すことが出来ず、吸引器のチュウブを鼻や喉からチュウブを入れ吸入してもらうとき、口や喉に吸引器のチュウブがあたり傷が入り出血する事もありました。  
【考案の概要】
【考案が解決しようとする課題】
【０００３】  今までの吸引器で吸引する時チュウブの先端が喉や口にあたり喉や唇が擦り切れたり傷が入り出血する事がある時もある、と言う問題点と吸引をお願いしてもまだ残っている感じがありもう少し吸引して欲しい箇所が有という問題点が有りました。先端チュウブのありとあらゆる角度の角を無くす為にチュウブの内側の角をなくし、チュウブの内側に丸みを付けます。全体チュウブ部分の柔らかさ体内近く上下の柔らかさにし出血を出来るだけ少なく出来るようにします。チュウブの吸引穴が増えると上下と左右の吸引力を均等にする為に、吸引器のチュウブで吸い上げるモーター部分とチュウブ部分を２つ付ける事も出来るます。（２つ以上付ける事も出来ます。）     
【課題を解決するための手段】
【０００４】  出来るだけ今より傷を少なくし吸入器の吸入チュウブの先端と全体を体内上下の柔らかさにしチュウブ全体も柔らかく出来ます。外側内側に角のような部分をなくし丸みをつけ全てにおいて丸みを付けます。吸引口の部分に丸みをつけ凹凸を付ける事も出来ます。吸引器モーター部分とチュウブ部分を一つではなく二つずつ合わせ付ける事出来個数はます。個数は使いやすくする為にはいくつ付けても可能です。二つ以上つける事も可能です。より柔らかさを優先し幅広く多く良く吸引する事が出来るように吸引口の形を横に長方形にする事も出来、今まで使われてきた吸引口の形だけではなく幅広く吸えるように種類を増やす事も出来ます。 
【考案の効果】
【０００５】本考案のソフト吸引器のチュウブは体内に近く前後の柔らかさまで出来、吸引口の先端の丸みは内側にも丸みをつける事が出来、凹凸を付ける事も出来ます。ソフト吸引器のモーター部分とチュウブ部分は二つを合わせ使う事も出来ます。個数は使いやすく何個でも増やす事も可能です。従来のものより出来るだけ出血を防ぐ事と吸引しやすくなります。
【図面の簡単な説明】
【０００６】
【図１】ソフト吸引器、正面図
【考案を実施するための形態】
【実施例】
【０００７】図１は、ソフト吸入器、正面から見た図です。 
【符号の説明】
【０００８】１.チュウブ部分、２.モーター部分、３.吸引口先端部分4．開口部5．凹凸部分6．内側丸み部分
【手続補正３】
【補正対象書類名】図面
【補正対象項目名】図１
【補正方法】変更
【補正の内容】
【図１】
0003232371.tif 000006
【手続補正書】
【提出日】令和1年5月10日(2019.5.10)
【手続補正１】
【補正対象書類名】実用新案登録請求の範囲
【補正対象項目名】全文
【補正方法】変更
【補正の内容】
【実用新案登録請求の範囲】
【請求項１】
ソフト吸引器、先端チュウブ部分の吸引部分凹凸付ける事が出来内側の角をなくし、吸引器のチュウブの先端以外の吸引口の角も無くします丸くし先端チュウブ部分と全体チュウブ部分とチュウブの横にも付いている、吸引口を丸くし体内に傷が出来るだけ付かないように、柔らかくする事が出来る薄さ厚さや密度、素材と調節により、柔らかく出来る事を特徴としたソフト吸引器。
【請求項２】
吸引口を増やすとソフト吸入器の従来のモーター部分と繋げる事が出来るチュウブ部分は図１のように横にも二つ合わせ付ける事も出来る二つ合わせることが出来る事により吸引口の開口部が広がり個数が増え均等の吸引力を保つことが出来ない時によりモーターとチュウブをを増やし各吸引口の均等な吸引力を保つためにモーターとチュウブ部分を二つあわせる事が出来る吸引器を特徴とした請求項１記載のソフト吸引器。
【手続補正２】
【補正対象書類名】明細書
【補正対象項目名】全文
【補正方法】変更
【補正の内容】
【考案の詳細な説明】
【技術分野】
【０００１】  本考案はべっどで寝て横にになることが多く風邪ぎみなときなど喉や鼻に鼻水や痰などを自力で排出する事が出来ない方の為の吸引器に関するものである。
【背景技術】
【０００２】ベッドで横になっていることが多く喉や鼻に鼻水や痰などが詰まり自力で出すことが出来ず、吸引器のチュウブを鼻や喉からチュウブを入れ吸入してもらうとき、口の周りや喉と鼻などに、吸引器のチュウブの先端内側部分の角やチュウブ横側の吸引口部分の角があたり傷が入り出血する事もありました。
【考案の概要】
【考案が解決しようとする課題】
【０００３】出来るだけ出血をしてはいけない患者様もおられます。  今までの吸引器で吸引する時、チュウブの硬さと吸引口先端内側角やチュウブ横部分が喉や唇にあたり切れたり傷が入り出血する事がある時もある、と言う問題点と吸引をお願いしてもまだ残っている感じがありもう少し吸引して欲しい箇所が有る。しかし吸引をするとき個人差と体調にもより苦しい痛いと言われる方もあると言う問題点が有りました。先端チュウブのありとあらゆるチュウブの角を無くす為にチュウブの先端の内側の角をなくし、チュウブの横吸引口の角を無くし、チュウブの内側に丸みを付けチュウブ横吸引口に角を無くし、丸みを付けます。全体チュウブ部分の柔らかさ体内近く上下の柔らかさにし出血を出来るだけ少なく出来るようにします。チュウブの吸引する吸引口を増やす事も出来（幅を広げ）、増えた（幅を広げた）吸引口からの吸引力を均等にする場合、チュウブとモーターの数を増やし吸引力を均等にする為に、合わせ付ける事も出来ます。
【課題を解決するための手段】
【０００４】  出来るだけ今より吸引器のチュウブの先端内側の角と横からの吸引口の外側内側の角があたたり、傷が入り出血する時も有ります。出来るだけ出血する事を少なくしなければなりません。吸入器の吸入チュウブの先端内側の角と横からの吸引口に付いている外側内側の角を無くし全部丸くし体内上下の柔らかさにし、チュウブ全体も柔らかく出来ます。吸引口の部分に丸みをつけ凹凸を付ける事も出来ます。吸引器モター部分とチュウブ部分を一つではなく二つずつ合わせ付ける事も出来ます。個数は使いやすくする為にはいくつ付けても可能です。吸引するモター器械部分を増やすことにより、チュウブを二つ合わせ付けた場合、チュウブ吸引部分の吸引力を左部分と右部分と上下前後部分を均等にし幅広く多く良く吸引する事が出来るように吸引口の形を広げ出来るだけ均等な吸引力に近づける事も出来ます。今まで使われてきた吸引口の幅より幅広くし均等の吸引力で吸え吸引口の種類を増やす事も出来ます。
【考案の効果】
【０００５】本考案のソフト吸引器のチュウブは体内に近く前後の柔らかさまで出来るようにチュウブの厚さや密度を調節し柔らかくなる素材を使用する事が出来ます。吸引口の先端の丸みは内側にも丸みをつける事が出来るようにします。両側に丸みを付けます。チュウブに凹凸を付け吸引しやすくする事も出来、また体の凹凸にあたっても出血しないように、チュウブの全てにおいて角を無くし丸みを両側に付けます。凹凸を付け吸引する為に安全に吸引できる事が出来るように素材を調整する事も出来ます。ソフト吸引器のモター部分とチュウブ部分は二つを合わせ使う事も出来ます（個数は使いやすく何個でも増やす事も可能です）。ソフト吸引器は、痛みを苦痛に感じられる患者様の為にも出血をしてはいけない患者様のためにも従来のものより吸引による出血をする事を出来るだけ防げるように吸引する事とにより苦痛と痛みをやわらげる事が出来るだけ出来るようになります。
【図面の簡単な説明】
【０００６】
【図１】ソフト吸引器、正面図
【考案を実施するための形態】
【実施例】
【０００７】図１は、ソフト吸入器、正面から見た図です。
【符号の説明】
【０００８】１．チュウブ部分、
２．モーター部分、
３．吸引口先端．部分
４．開口部  横吸引口
５．凹凸部分
６．チュウブ丸み部分と（内側丸み部分）
【手続補正３】
【補正対象書類名】図面
【補正対象項目名】全図
【補正方法】変更
【補正の内容】
【図１】
0003232371.tif 000007
【手続補正書】
【提出日】令和2年7月7日(2020.7.7)
【手続補正２】
【補正対象書類名】明細書
【補正対象項目名】全文
【補正方法】変更
【補正の内容】
【考案の詳細な説明】
【技術分野】
【０００１】  本考案はべっどで寝て横にになることが多く体の喉や鼻などに鼻水や痰など（液体状の全てを含む）自力で排出する事が出来ない方の為の吸引器に関するものである。
【背景技術】
【０００２】ベッドで横になっていることが多く喉や鼻に鼻水や痰などが詰まり自力で出すことが出来ず、吸引器のチュウブを鼻や喉からチュウブを入れ吸入してもらうとき、口の周りや喉と鼻などに、吸引器のチュウブの先端内側部分の角やチュウブ横側の吸引口部分の角があたり傷が入り出血する事もありました。
【考案の概要】
【考案が解決しようとする課題】
【０００３】出来るだけ出血をしてはいけない患者様もおられます。  それぞれの用途に合わせて使うチュウブも含め、体内で使う今までの吸引器で吸引する時と（体内を通す管やチュウブ液体を出し入れする官やチュウブやバルーン）を含む、チュウブの硬さと吸引口先端内側角やチュウブ横部分が喉や唇にあたり切れたり傷が入り出血する事がある時もある、と言う問題点と吸引をお願いしてもまだ残っている感じがありもう少し吸引して欲しい箇所が有る。しかし吸引をするとき個人差と体調にもより苦しい痛いと言われる方もあると言う問題点が有りました。さまざまな種類で人の体内に使われているチュウブのありとあらゆる先端（器械の周りに備えられた内視鏡など体内を保護する為に器械にコウティングされたチュウブも含みます）チュウブの角を無くす為にチュウブの先端の内側外側の角をなくし、チュウブの内側外側に丸みを付けチュウブ吸引口に角を無くし、丸みを付けます。全体チュウブ部分の柔らかさは、チュウブを使う用途に合わせて体内近く上下の柔らかさにし出血をできるだけ少なく出来るように調節出来るようにする事も可能です。吸引チュウブにおいて、チュウブの吸引する吸引口を増やす事により、より吸引できるようにし、吸引力を出来るだけ均等にする為に、吸引チュウブの個数を増やし（一本）に組み合わせる事も出来、増えた吸引口からの吸引力を均等にする場合、チュウブとモーターの数を増やし吸引力を均等にする為に、合わせ付ける事も出来ます。
【課題を解決するための手段】
【０００４】  体の用途、体内の必要な部分に応じて合わせ使われるそれぞれのチュウブ（体内に使われる、すべての管やチュウブやバルーン）において、出来るだけ、今より吸引器のチュウブ体内差し込み方向、先端内側の角も全体も横からの吸引口の外側内側の角があたたり、傷が入り出血する時も有ります。出来るだけ出血する事を少なくしなければなりません。先端を挿入し丸くするために開口部を備え、摩擦・熱・カッター・刃類などをもちいて先端を丸くするために使用することが出来ます。作業方法はソフト吸入器に備えた先端を丸くするための開口部に挿入します。官、チュウブ類において、ソフト吸入器から離して先端を丸める開口部の器を使用する事も、持ち運びをする事も出来ます。ソフト吸入器の内部に入れ使用することも出来、内部から出し外側から使用する事もできます。吸入チュウブの先端内側の角と横からの吸引口に付いている外側内側の角を無くし全部丸くし体内上下の柔らかさにし、チュウブ全体も柔らかく出来ます。吸引口の部分に丸みをつけ凹凸を付ける事も出来ます。吸引器モター部分とチュウブ部分を複数組合わせ付ける事も出来ます。個数は使いやすくする為にはいくつ付けても可能です。吸引するモター器械部分を増やすことにより、チュウブを二つ合わせ付けた場合、チュウブ吸引部分の吸引力を左部分と右部分と上下前後部分を均等にし多く良く吸引する事が出来るように吸引口の形を調節することも出来、出来るだけ均等な吸引力に近づける事も出来ます。今まで使われてきた吸引口の幅より幅広くし均等の吸引力で吸え吸引口の種類を増やす事も出来ます。
【考案の効果】
【０００５】本考案のソフト吸引器のチュウブ体内差し込み方向（体内に使われる全ての官やチュウブやバルーン）を含むは、体内に近く前後の柔らかさまで出来るようにチュウブの厚さや密度を調節し柔らかくなる素材を使用する事が出来ます。吸引口の先端の丸みは内側にも丸みをつける事が出来るようにします。先端の角を無くし外側だけでなく内側にも角を無くし丸みを備える事が出来、官、チュウブ類の両側先端に丸みを付ける事が出来る開口部、開口部に官、チュウブ類の先端を入れ、摩擦、熱、カミソリ刃類などを用いて内側、全ての先端が丸くなるように、形に添わせ、回転させ・振動・動き・移動により、官、チュウブ類に丸みを付ける事が出来ます。凹凸を付け吸引しやすくする事も出来ます。また体の凹凸にあたっても出血しないように、チュウブの全てにおいて角を無くし丸みを両側に付けます。凹凸を付け吸引する為に安全に吸引できる事が出来るように素材を調整する事も出来ます。ソフト吸引器のモター部分とチュウブ部分は二つを合わせ使う事も出来ます（個数は使いやすく何個でも増やす事も可能です）。ソフト吸引器は、痛みを苦痛に感じられる患者様の為にも出血をしてはいけない患者様のためにも従来のものより吸引による出血をする事を出来るだけ防げるように吸引する事とにより苦痛と痛みをやわらげる事が出来るだけ出来るようになります。
【図面の簡単な説明】
【０００６】
【図１】ソフト吸引器、正面図
【考案を実施するための形態】
【実施例】
【０００７】図１は、ソフト吸入器、正面から見た図です。
【符号の説明】
【０００８】１．チュウブ部分、２．モーター部分、３．吸引口先端部分４．開口部（先端に丸みを付ける為の開口部）５．凹凸部分開口部（備えたいか所に凹凸部分がなくても備える事が出来ます。）６．チュウブ丸み部分と（内側丸み部分）
【手続補正３】
【補正対象書類名】実用新案登録請求の範囲
【補正対象項目名】請求項１
【補正方法】変更
【補正の内容】
【請求項１】
ソフト吸引器の官やチュウブにおいて先端チュウブ部分の出し入れ吸引部分内側から全て柔らかく丸くする為にかたどった摩擦や熱やカッターや刃類の回転や移動する動きにより丸くする事を備えた事を特徴とするソフト吸引器。
【手続補正４】
【補正対象書類名】図面
【補正対象項目名】図１
【補正方法】変更
【補正の内容】
【図１】
0003232371.tif 000008
【手続補正書】
【提出日】令和2年12月9日(2020.12.9)
【手続補正１】
【補正対象書類名】実用新案登録請求の範囲
【補正対象項目名】全文
【補正方法】変更
【補正の内容】
【実用新案登録請求の範囲】
【請求項１】
ソフト吸引機の先端を丸くする為に丸く型どり凹凸をつけ摩擦や熱やカッタ─で角をなくし丸く型に沿うように道具機械で整えることが出来、丸くする道具機械を備えた吸引器、摩擦、削りにより丸くする事を備えた事を特徴とするソフト吸引器。
【手続補正書】
【提出日】令和3年3月26日(2021.3.26)
【手続補正１】
【補正対象書類名】実用新案登録請求の範囲
【補正対象項目名】全文
【補正方法】変更
【補正の内容】
【実用新案登録請求の範囲】
【請求項１】
ソフト吸引器と丸める器の組み合わせからなる、ソフト吸引器において、ソフト吸引器チュウブは内側も丸みのある角のないチュウブ開口部をほどこされており、丸める器は、チュウブ開口部の形状を有する丸める型から構成され、丸みのある角のないチュウブ開口部にするために用いられるものである事を特徴とするソフト吸引器。
【手続補正２】
【補正対象書類名】明細書
【補正対象項目名】全文
【補正方法】変更
【補正の内容】
【考案の詳細な説明】
【技術分野】
【０００１】
本考案はベッドで寝て横になることが多く喉や鼻などに鼻水や痰など自力で排出する事が出来ない方の為の吸引器に関するものである。
【背景技術】
【０００２】
ベッドで横になっていることが多く喉や鼻に鼻水や痰などが詰まり自力で出すことが出来ず、吸引器のチュウブを鼻や喉から入れ吸入してもらうとき、口の周りや喉と鼻などに、吸引器のチュウブの先端内側部分の角やチュウブ横側の吸引口部分などの角があたり、傷が入り出血する事もありました。
【考案の概要】
【考案が解決しようとする課題】
【０００３】
少しでも出血をしてはいけない患者様もおられます。  それぞれの用途に合わせて使うチュウブも含め、今までの吸引器で吸引するとチュウブの硬さと吸引口先端内側角などが喉や唇にあたり切れたり傷が入り出血する事がある時もあると言う問題点と、
吸引をお願いしてもまだ残っている感じがありもう少し吸引して欲しい箇所が有ると言う要望がありました。
残留感はチュウブ先端部分だけに限らず横側部分にも感じられているのではないでしょうか先端部分と横部分も同様な重要性を持った吸引口ではないでしょうか、
チュウブ横開口部分でも容易に吸収出来るように角を無くし丸くし、なだらかにふちなどや高低をつけても備える事が出来ます。
吸引をするとき個人差と体調にもより接触する時など痛い苦しいと言われる方もあると言う問題点が有りました。出来るだけ少しでも傷が少なくなりますように、出来るだけ体内の柔らかさに少しでも近づけ、チュウブ内側の角も無くす事が出来るようにする事が必要です。（チュウブ先端を保護する為に吸引器に備えた丸くする器でも、吸引チュウブ先端の内側角をなくし、チュウブ横開口部に丸みを付ける事が出来るようにします。)    
【課題を解決するための手段】
【０００４】
吸引器のチュウブ先端内側の角も横からの吸引口の外側の角があたり、傷が入り出血する時も有ります。出来るだけ出血する事を少なくしなければならない方もおられます。丸くする器にチュウブ先端を挿入し丸くするために摩擦し削る・熱・カッター・刃類などをもちいて先端を丸くします。ソフト吸入器に備えた先端を丸くする丸める器は、持ち運びをする事も出来ます。
ソフト吸入器に備え使用することも出来、チュウブの先端内側の角と横からの吸引口の開口部の角を無くし全部丸くし少しでも体内の柔らかさにちかづける事も可能です。ソフト吸引口の部分に丸みをつけ凹凸高低さを付け使用する事も出来ます。
吸引器モーター部分とチュウブ部分を複数組合わせ付ける事も出来ます。個数は使いやすくする為にはいくつ付けても可能です。吸引するモーター器械部分を増やす事も出来ます。チュウブを二つ合わせ付けた場合、チュウブ吸引口部分の吸引力を左部分と右部分と上下前後部分を吸入量を均等にし多く良く吸引する事が出来るようにも出来ます。均等な吸引力に近づける事も可能です。
ソフト吸引器の角度や長さ深さ幅など大きさ、素材、外観形、個数など使いやすく備える事が出来ます。吸引口の幅なども幅広く調節する事も出来ます。
【考案の効果】
【０００５】
熱などで加工し型を造り型どうりに加工する事も出来ます。
ソフト吸引器に丸める器を備える事も出来る。横開口部は、回転させ広げ削りまるくする事も出来、部品やパーツを組み立て合わせバネやゴムの力で押さえ丸くする事も出来、部品を組み立て繋げ押さえ削り丸くする事も出来ます。
ソフト吸引器チュウブの吸引する開口部の内側角から両側まで内側に角を無くし丸みをつける事が出来るようにします。開口部にチュウブ類の先端を入れ、摩擦、熱、カミソリや刃類などを用いて型に沿わせ内側、全ての先端が丸くなるように、回転させ削る・回転させ広げる・押し引き広げ狭める・振動・動き・移動・カット・熱・により、チュウブ類に丸みを付ける事が出来ます。
凹凸を付け横部分開口部に高低差を付け吸引しやすくする事も出来ます。また体の凹凸にあたっても出血しないように、チュウブの全てにおいて角を無くし丸みを内側、両側になるように付けます。安全に吸引できる事が出来るように柔らかく使いやすい柔軟な素材を調整し備える事も出来ます。
ソフト吸引器のモーター部分とチュウブ部分は二つを合わせ使う事も出来ます（個数は使いやすく１個でも何個でも増やす事も可能です）。ソフト吸引器は、体内に近く柔らかい素材にする事も可能です。痛みを苦痛に感じられる患者様の為にも出血をしてはいけない患者様のために吸引による出血をする事を出来るだけ防いで痛みを少しでもやわらげる事が出来るようになります。
【図面の簡単な説明】
【０００６】
【図１】ソフト吸引器、正面図
【考案を実施するための形態】
【実施例】
【０００７】
図１は、ソフト吸引器、正面から見た図です。
１は、ソフト吸引器チュウブ部分２は、ソフト吸引器モーター部分３は、ソフト吸引器チュウブ開口部４は、ソフト吸引器の丸める器モーター3月部分、５は、ソフト吸引器の丸める器の開口部と回転させ丸くする型部分
【符号の説明】
【０００８】
１.ソフト吸引器チュウブ部分、
２.ソフト吸引器モーター部分、
３ソフト吸引器.チュウブ開口部(先端.と横部分)
４.丸める器モーター部分
５.丸める器の開口部と回転させる型(.チュウブ先端内側丸み部分（先端に丸みを付ける為のカット、摩擦、熱、などの丸める器全体図）
【手続補正３】
【補正対象書類名】図面
【補正対象項目名】全図
【補正方法】変更
【補正の内容】
【図１】
0003232371.tif 000009